(57)【要約】【課題】  投げ釣り用の道糸のセッティングを簡単に行えること。【解決手段】  この投げ釣り用補助具１００では、道糸８をフック５に引っかける。フック５を係止側に回転させた状態で第一傾斜部５４と本体上部５３との根元が最も深くなり、この部分に道糸８が掛かる。この状態で、釣り竿７を投げると道糸８が引っ張られ、フック５が回転し上部端縁５７が取付部６の底面６３と干渉して３０度程度の回転で止まり、道糸８がその張力で第一傾斜部５４、第二傾斜部５５を滑ってフック５の突出部５６を乗り越える。これにより、道糸８が適切なタイミングでフリーになり、ルアーが遠心力で飛ぶ。この投げ釣り用補助具１００では道糸８をフック５に掛けるだけで良い。【選択図】  図１０
2013059301.tif 000002
【特許請求の範囲】
【請求項１】
リールを取り付け得る釣り竿への取付部と、
ネジを回転軸穴に貫通させてその先を前記取付部の座面に螺合することで回転可能に軸止すると共に、前記ネジの螺合により弾性部材で狭持され、道糸を係止する係止側端縁を有するフックと、
を備えたことを特徴とする投げ釣り用補助具。
【請求項２】
リールを取り付け得る釣り竿への取付部を有し、
ネジに中間部材、平座金を通し、ネジ先端を前記取付部の座面を貫通させると共に、
道糸を係止する係止側端縁を有するフックを、弾性力を備えた座金を介在させて前記平座金と前記取付部との間に回転可能に挟んだことを特徴とする投げ釣り用補助具。
【請求項３】
前記弾性力を備えた座金は波形座金であって前記フックの両側に配置介在されていることを特徴とする請求項２に記載の投げ釣り用補助具。
【発明の詳細な説明】
【技術分野】
【０００１】
本発明は、釣り竿に装着し、ルアーを投げる際に道糸を放すタイミングを自動で行う投げ釣り用補助具に関するものである。
【背景技術】
【０００２】
投げ釣りでは、リールのベールと起こしてスプールに巻き付けた道糸をフリー状態にし、当該道糸を指で引っ掛ける。そして、釣り竿をオーバースローし、適切なタイミングで指を放す。これによりスプールから道糸が導出されるので、ルアーを遠投できる。指を放すタイミングは初心者には難しいため、特許文献１に記載されているような技術が提案されている。
【０００３】
特許文献１に係る投げ釣り用補助具は、釣り竿に装着する本体に、バネによる弾性力で突き合わせた２つの球体を備え、この球体の突き合わせ部分に道糸を通して引っ掛けるようにした構造である。球体の突き合わせの力は、一方の球体がバネで支持され且つ他方の球体を押し付けるように螺合するネジによって調整される。この投げ釣り用補助具では、釣り竿をオーバースローしたとき道糸に生じる張力で球体の突き合わせ部分から道糸が外れ、当該道糸がフリーになることでルアーを投げるものである。
【先行技術文献】
【特許文献】
【０００４】
【特許文献１】特開２００６−１０１８６４号公報
【発明の概要】
【発明が解決しようとする課題】
【０００５】
しかしながら、上記従来の投げ釣り用補助具は、球体の間に道糸を通す構成であるため、道糸のセッティングに強い力が必要であるという問題点があった。この発明は係る問題点を解決するためになされたものである。
【課題を解決するための手段】
【０００６】
この発明の投げ釣り用補助具は、リールを取り付け得る釣り竿への取付部と、ネジを回転軸穴に貫通させてその先を前記取付部の座面に螺合することで回転可能に軸止すると共に、前記ネジの螺合により弾性部材で狭持され、道糸を係止する係止側端縁を有するフックと、を備えたことを特徴とする投げ釣り用補助具。
【０００７】
ネジの螺合により弾性部材でフックを狭持することで当該フックの回転に必要な力を調整できる。そして、釣り竿の係止側端縁に道糸を引っ掛けて釣り竿を投げると、道糸が引っ張られ、その力でフックが回転し道糸がフックの係止から外れ、道糸がフリーになってリールから導出される。ユーザは、道糸をフックに引っかけるだけで良いので、道糸のセッティングを簡単にできる。
【０００８】
また、この発明の投げ釣り用補助具は、リールを取り付け得る釣り竿への取付部を有し、ネジに中間部材、平座金を通し、ネジ先端を前記取付部の座面を貫通させると共に、道糸を係止する係止側端縁を有するフックを、弾性力を備えた座金を介在させて前記平座金と前記取付部との間に回転可能に挟んだことを特徴とする。
【０００９】
フックは、弾性力を備えた波形座金のような座金を介在して、平座金と取付部との間に挟まれているので、ネジの螺合により中間部材及び平座金を介してフックに力が加わる。これによりフックの回転に要する力が調整される。また、中間部材及び平座金を通し、弾性力を備えた座金を介在させてフックを挟んでいるので、フックの回転によりネジが緩むことがない。また、ユーザは、道糸をフックに引っかけるだけで良いので、道糸のセッティングを簡単に行える。
【００１０】
また、この発明の投げ釣り用補助具は、上記発明において、前記弾性力を備えた座金は波形座金であって前記フックの両側に配置介在されていることを特徴とする。
【００１１】
即ち、波形座金をフックの両側に配置することで、ネジの締め具合でフックの狭持力を調整しやすくなる。
【図面の簡単な説明】
【００１２】
【図１】この発明の投げ釣り用補助具を示す斜視図である。
【図２】図１に示した投げ釣り用補助具を示す正面図である。
【図３】図１に示した投げ釣り用補助具を示す左側面図である。
【図４】図１に示した投げ釣り用補助具を示す右側面図である。
【図５】図１に示した投げ釣り用補助具を示す背面図である。
【図６】図１に示した投げ釣り用補助具を示す上面図である。
【図７】図１に示した投げ釣り用補助具を示す底面図である。
【図８】図１に示した投げ釣り用補助具の組立図である。
【図９】投げ釣り用補助具を釣り竿に取り付けた状態を示す説明図である。
【図１０】この投げ釣り用補助具の動作を示す説明図である。
【発明を実施するための形態】
【００１３】
図１は、この発明の投げ釣り用補助具を示す斜視図である。図２は、図１に示した投げ釣り用補助具を示す正面図、図３は左側面図、図４は右側面図、図５は背面図、図６は上面図、図７は底面図である。また、図８は、図１に示した投げ釣り用補助具の組立図である。この投げ釣り用補助具１００は、蝶ネジ１にスリーブ２、平座金３、波形座金４、フック５、波形座金４を順に通し、当該蝶ネジ１の先端を取付部６の座面６２に螺合した構造である。取付部６は、釣り竿７の所定位置に取り付けられる。
【００１４】
前記取付部６は、全体が樋状で左右に環状部６１が形成された構造であり、環状部６１は上向きに開いている。図８中右側になる環状部６１は、バンドが通しやすいように端部近傍が外側に湾曲している。また、取付部６の下側には座面６２が略垂直に突出しており、穴６４には前記蝶ネジ１を螺合するネジが切られている。取付部６は、ステンレス製であり厚さが２ｍｍ、表面粗さ（Ｒａ）は、６．３ａ〜０．２ａ、好ましくは０．８ａ〜０．２ａである。
【００１５】
波形座金４は、円環状のステンレス薄板に波形を形成した座金であり、つぶれることで弾性部材として作用する。波形座金４の内径は、蝶ネジ１が緩みばめで貫通するものとする。板厚は０．１５ｍｍ〜０．３ｍｍ、好ましくは０．１５ｍｍ〜０．２ｍｍ、自由高さは０．６ｍｍ〜２．５ｍｍ、好ましくは０．６ｍｍ〜１．２ｍｍである。蝶ネジ１を螺合することで波形座金４がつぶれ、その力によりフック５の狭持力が設定される。波形座金４をフック５の両側に設けることで、フック５が波形座金４にその弾性力をもって挟まれるので、蝶ネジ１の締め具合による力調整が行いやすくなる。
【００１６】
前記フック５は、勾玉に類似した形状である。フック５の上部中央付近には前記蝶ネジ１が貫通する回転軸穴５１が設けられる。この回転軸穴５１と蝶ネジ１とは緩みばめとなる。フック５の係止側端縁５２は、道糸８を係止する部分であって、図２に示すように（上下関係を図２に基づき説明する）、回転軸穴５１が設けられた上部５３から斜めに形成された第一傾斜部５４と、下側で更に傾斜した第二傾斜部５５と、側方に略水平に突出した突出部５６とから全体でフック形状を構成する。フック５の上側端縁５７は直線状であり、取付部６の底面６３と近接しており、これによりフック５の回転は上側端縁５７が前記底面６３と干渉することで阻止されるが、僅かな隙間が前記底面６３との間に設けられているため、フック５は僅かに回転できる。この実施の形態では、フック５は３０度回転可能となる。
【００１７】
平座金３は、１ｍｍ厚のステンレス製であり、逆台形となる。長辺端縁３１が上側になるよう配置される。平座金３の両側平面の表面粗さ（Ｒａ）は、０．２ａ〜６．３ａ、好ましくは０．２ａ〜０．８ａである。台形の長辺端縁３１は取付部６の底面６３と近接しており、これにより平座金３の回転は長辺端縁３１が前記底面６３と干渉することで阻止されるが、僅かな隙間が前記底面６３との間に設けられているため、平座金３は僅かに回転する。
【００１８】
前記スリーブ２は、平座金３との間に配置する中間部材であり、ステンレス製の円筒体である。その内径は前記蝶ネジ１に対して緩みばめとなる。スリーブ２の両端面２１は、一端が前記平座金３に所定圧で当接し、他端が蝶ネジ１の頭の面１１と当接する。スリーブ２の両端面２１の表面粗さ（Ｒａ）は、０．２ａ〜６．３ａ、好ましくは０．２ａ〜０．８ａである。
【００１９】
図９は、投げ釣り用補助具を釣り竿に取り付けた状態を示す説明図である。取付部６の環状部６１により釣り竿７を挟むようにし、左右の環状部６１同士をバンド９で結び付ける。投げ釣り用補助具１００の取り付け位置は、リール５０のスプール５１の横から若干釣り竿７の先端側までとする。要するに、フック５が通常の指で道糸８を引っ掛ける場合に指と同じ位置になれば良い。前記バンド９は、面テープを備えた布やナイロンのテープとしても良いし、ゴムバンドや針金で固定しても良い。
【００２０】
図１０は、この投げ釣り用補助具の動作を示す説明図である。この投げ釣り用補助具１００では、まず、リール５０のベール５２を起こしてリール５０をフリーの状態にする。そして、スプール５１に巻いている道糸８をフック５に引っ掛ける。これにより、投げ釣りの際に指で道糸を引っ掛けた状態と略同じ状態になる。また、図１０（ａ）に示すように、フック５を係止側に回転させた状態で第一傾斜部５４と上部５３との根元が最も深くなり、この部分に道糸８が掛かる。
【００２１】
この状態で、釣り竿７を投げて道糸８の先端に取り付けたルアー（図示省略）に遠心力をつける。すると道糸８が引っ張られ、図１０（ｂ）に示すように、フック５が回転し上部端縁５７が取付部６の底面６３と干渉して３０度程度の回転で止まり、道糸８がその張力で第一傾斜部５４、第二傾斜部５５を滑ってフック５の突出部５６を乗り越える（図１０（ｂ）では、道糸８の動きを連続的に図示する）。これにより、道糸８が適切なタイミングでフリーになり、リール５０から道糸８が導出されてルアーが遠心力で飛ぶ。従来は指で道糸８を引っ掛け適切なタイミングで指を放す必要があったが、この投げ釣り用補助具１００では道糸８をフック５に掛けるだけで良く、適切なタイミングで道糸８がフリーになる。
【００２２】
前記フック５の回転に必要な力は、ユーザが蝶ネジ１の締め具合により調整する。蝶ネジ１をねじ込むと波形座金４の弾性力でフック５が狭持される。蝶ネジ１を強く締めると当該狭持力が大きくなってフック５の回転に必要な力は大きくなる。蝶ネジ１を緩めると当該狭持力が小さくなってフック５の回転に必要な力は小さくなる。従来の場合、球体の突き合わせ力により道糸が球体の突き合わせ力に打ち勝ってフリーになるタイミングを調整する必要があったので、突き合わせ力の微妙な加減が必要であってその調整自体が難しかったが、この投げ釣り用補助具１００は、フック５の回転に必要な力を調整するものであるため、タイミングの調整が簡単に行える。
【００２３】
また、フック５が回転する際、平座金３はフック５と共に少し回転するが、取付部６の底面６３と干渉し停止する。フック５は平座金３及び波形座金４の回転及び滑りにより回転する。フック５は波形座金４で挟まれ且つ僅かに回転可能な状態にした平座金３及びスリーブ２により押さえて狭持されているため、フック５が回転しても、蝶ネジ１がゆるむことがない。即ち、一度設定したフック５の狭持力は、使用中も維持される。
【００２４】
以上、この発明の投げ釣り用補助具１００によれば、道糸８をフック５に引っ掛ける動作だけで済むので道糸８のセッティングが簡単にできる。このため、投げ釣りの初心者であっても、ルアーの遠投を簡単に行うことができる。また、指を使わないので、指に負担がかからない。
【００２５】
なお、上記中間部材であるスリーブ２は、蝶ネジ１の長さによっては円形の平座金であっても良い。取付部６の釣り竿７への取り付け形態は、上記構造に限定されない。また、投げ釣り用補助具１００は釣り竿７にネジ等で固定された状態でも良い。また、前記係止側端縁５２は、突出部５６までを滑らかな曲線で形成しても良い。また、蝶ネジ１にフック５の回転に要する力を調整しやすくするための目盛りを設けても良い。
【符号の説明】
【００２６】
１００  投げ釣り用補助具
１  蝶ネジ
２  スリーブ
３  平座金
４  波形座金
５  フック
６  取付部
７  釣り竿
８  道糸
【図１】
2013059301.tif 000003
【図２】
2013059301.tif 000004
【図３】
2013059301.tif 000005
【図４】
2013059301.tif 000006
【図５】
2013059301.tif 000007
【図６】
2013059301.tif 000008
【図７】
2013059301.tif 000009
【図８】
2013059301.tif 000010
【図９】
2013059301.tif 000011
【図１０】
2013059301.tif 000012